(57)【特許請求の範囲】
【請求項１】
１フレームのライン数が１１２５本で、フィールド周波数が５９.９４０００５８Ｈｚである１１２５／５９．９４テレビジョン方式の映像信号の処理系で使用される第１のクロックを出力する第１の電圧制御発振器と、
１フレームのライン数が５２５本で、フィールド周波数が５９.９４０００５８Ｈｚである５２５／５９．９４テレビジョン方式の映像信号の処理系で使用される第２のクロックを出力する第２の電圧制御発振器と、
上記第１の電圧制御発振器から出力される上記第１のクロックを１／２２００に分周する第１の前段分周手段と、
上記第１の前段分周手段の出力信号を１／１５に分周する第１の後段分周手段と、
上記第２の電圧制御発振器から出力される上記第２のクロックを１／８５８に分周する第２の前段分周手段と、
上記第２の前段分周手段の出力信号を１／７に分周する第２の後段分周手段と、
上記第１の後段分周手段から得られる１５ライン周期の信号と上記第２の後段分周手段から得られる７ライン周期の信号との位相を比較する第１の位相比較手段と、
基準映像信号が上記１１２５／５９．９４テレビジョン方式の映像信号であるとき上記第１の前段分周手段により出力されるライン周期の信号を選択し、上記基準映像信号が上記５２５／５９．９４テレビジョン方式の映像信号であるとき上記第２の前段分周手段により出力されるライン周期の信号を選択する第１の選択手段と、
上記第１の選択手段により選択された上記ライン周期の信号と上記基準映像信号から分離された水平同期信号との位相を比較する第２の位相比較手段と、
上記基準映像信号が上記１１２５／５９．９４テレビジョン方式の映像信号であるとき上記第１の位相比較手段で得られる位相差信号を上記第２の電圧制御発振器に制御信号として供給すると共に上記第２の位相比較手段で得られる位相差信号を上記第１の電圧制御発振器に制御信号として供給し、上記基準映像信号が上記５２５／５９．９４テレビジョン方式の映像信号であるとき上記第１の位相比較手段で得られる位相差信号を上記第１の電圧制御発振器に制御信号として供給すると共に上記第２の位相比較手段で得られる位相差信号を上記第２の電圧制御発振器に制御信号として供給する第２の選択手段とを備え、
上記第１のクロックを分周して得られる上記１５ライン周期の信号と上記第２のクロックを分周して得られる上記７ライン周期の信号の位相が合うようにすると共に、上記第１のクロックおよび上記第２のクロックを上記基準映像信号に同期したものとする
ことを特徴とするクロック同期装置。
【請求項２】
第１の電圧制御発振器から出力される、１フレームのライン数が１１２５本で、フィールド周波数が５９.９４０００５８Ｈｚである１１２５／５９．９４テレビジョン方式の映像信号の処理系で使用される第１のクロックと、第２の電圧制御発振器から出力される、１フレームのライン数が５２５本で、フィールド周波数が５９.９４０００５８Ｈｚである５２５／５９．９４テレビジョン方式の映像信号の処理系で使用される第２のクロックとの同期をとるクロック同期方法であって、
上記第１のクロックを１／２２００に分周する第１の前段分周ステップと、
上記第１の前段分周ステップで得られる信号を１／１５に分周する第１の後段分周ステップと、
上記第２のクロックを１／８５８に分周する第２の前段分周ステップと、
上記第２の前段分周ステップで得られる信号を１／７に分周する第２の後段分周ステップと、
上記第１の後段分周ステップで得られる１５ライン周期の信号と上記第２の後段分周ステップで得られる７ライン周期の信号との位相を比較する第１の位相比較ステップと、
基準映像信号が上記１１２５／５９．９４テレビジョン方式の映像信号であるとき上記第１の前段分周ステップで得られるライン周期の信号を選択し、上記基準映像信号が上記５２５／５９．９４テレビジョン方式の映像信号であるとき上記第２の前段分周ステップで得られるライン周期の信号を選択する第１の選択ステップと、
上記第１の選択ステップで選択された上記ライン周期の信号と上記基準映像信号から分離された水平同期信号との位相を比較する第２の位相比較ステップと、
上記基準映像信号が上記１１２５／５９．９４テレビジョン方式の映像信号であるとき上記第１の位相比較ステップで得られる位相差信号を上記第２の電圧制御発振器に制御信号として供給すると共に上記第２の位相比較ステップで得られる位相差信号を上記第１の電圧制御発振器に制御信号として供給し、上記基準映像信号が上記５２５／５９．９４テレビジョン方式の映像信号であるとき上記第１の位相比較ステップで得られる位相差信号を上記第１の電圧制御発振器に制御信号として供給すると共に上記第２の位相比較ステップで得られる位相差信号を上記第２の電圧制御発振器に制御信号として供給する第２の選択ステップとを備え、
上記第１のクロックを分周して得られる上記１５ライン周期の信号と上記第２のクロックを分周して得られる上記７ライン周期の信号の位相が合うようにすると共に、上記第１のクロックおよび上記第２のクロックを上記基準映像信号に同期したものとする
ことを特徴とするクロック同期方法。
【発明の詳細な説明】
【０００１】
【発明の属する技術分野】
この発明は、クロック同期装置およびクロック同期方法に関する。詳しくは、１１２５／５９．９４テレビジョン方式におけるクロックおよび５２５／５９．９４テレビジョン方式におけるクロックの周波数が所定の式関係を満足することを利用することによって、比較的単純な構成で上述した２つの方式におけるクロックの同期をとることができるようにしたクロック同期装置およびクロック同期方法に係るものである。
【０００２】
【従来の技術】
従来、１フレームのライン数が５２５本で、フィールド周波数が５９.９４０００５８Ｈｚである５２５／５９．９４テレビジョン方式の他に、１フレームのライン数が１１２５本で、フィールド周波数が６０Ｈｚである１１２５／６０テレビジョン方式（高精細度テレビジョン方式）が提案されている。この場合、１１２５／６０テレビジョン方式の映像信号から５２５／５９．９４テレビジョン方式の映像信号への変換（ダウンコンバート）、または５２５／５９．９４テレビジョン方式の映像信号から１１２５／６０テレビジョン方式の映像信号への変換（アップコンバート）は、フィールド周波数が異なることから、フレームシンクロナイザ的な構成でフィールド数およびライン数を変換することで行われている。
【０００３】
【発明が解決しようとする課題】
上述したように１１２５／６０テレビジョン方式の映像信号と５２５／５９．９４テレビジョン方式の映像信号との間の変換は、フレームシンクロナイザ的な構成でフィールド数およびライン数を変換することで行われるため、１１２５／６０テレビジョン方式の映像信号の処理に使用されるクロックと５２５／５９．９４テレビジョン方式の映像信号を処理するために使用されるクロックの同期をとる必要はなかった。
【０００４】
ところで、米国ＡＴＶ（advanced television）では、１フレームのライン数が１１２５本で、フィールド周波数が５９．９４０００５８Ｈｚである１１２５／５９．９４テレビジョン方式を提案している。日本でも、５２５／５９．９４テレビジョン方式との互換性において１１２５／５９．９４テレビジョン方式の有効性が議論されている。例えば、１１２５／５９．９４テレビジョン方式の映像信号と５２５／５９．９４テレビジョン方式の映像信号との間の変換は、フィールド周波数が同じであることから、ライン数の変換のみで行うことが可能となる。ただし、この場合、１１２５／５９．９４テレビジョン方式の映像信号の処理に使用されるクロックと５２５／５９．９４テレビジョン方式の映像信号を処理するために使用されるクロックの同期をとることが必要となる。
【０００５】
そこで、この発明では、比較単純な構成で１１２５／５９．９４テレビジョン方式および５２５／５９．９４テレビジョン方式におけるクロックの同期をとることができるようにしたクロック同期装置およびクロック同期方法を提供するものである。
【０００８】
【課題を解決するための手段】
この発明に係るクロック同期装置は、１フレームのライン数が１１２５本で、フィールド周波数が５９.９４０００５８Ｈｚである１１２５／５９．９４テレビジョン方式の映像信号の処理系で使用される第１のクロックを出力する第１の電圧制御発振器と、１フレームのライン数が５２５本で、フィールド周波数が５９.９４０００５８Ｈｚである５２５／５９．９４テレビジョン方式の映像信号の処理系で使用される第２のクロックを出力する第２の電圧制御発振器と、第１の電圧制御発振器から出力される第１のクロックを１／２２００に分周する第１の前段分周手段と、この第１の前段分周手段の出力信号を１／１５に分周する第１の後段分周手段と、第２の電圧制御発振器から出力される第２のクロックを１／８５８に分周する第２の前段分周手段と、この第２の前段分周手段の出力信号を１／７に分周する第２の後段分周手段と、第１の後段分周手段から得られる１５ライン周期の信号と第２の後段分周手段から得られる７ライン周期の信号との位相を比較する第１の位相比較手段と、基準映像信号が１１２５／５９．９４テレビジョン方式の映像信号であるとき第１の前段分周手段により出力されるライン周期の信号を選択し、基準映像信号が上記５２５／５９．９４テレビジョン方式の映像信号であるとき第２の前段分周手段により出力されるライン周期の信号を選択する第１の選択手段と、この第１の選択手段により選択されたライン周期の信号と基準映像信号から分離された水平同期信号との位相を比較する第２の位相比較手段と、基準映像信号が上記１１２５／５９．９４テレビジョン方式の映像信号であるとき第１の位相比較手段で得られる位相差信号を第２の電圧制御発振器に制御信号として供給すると共に第２の位相比較手段で得られる位相差信号を第１の電圧制御発振器に制御信号として供給し、基準映像信号が５２５／５９．９４テレビジョン方式の映像信号であるとき第１の位相比較手段で得られる位相差信号を第１の電圧制御発振器に制御信号として供給すると共に第２の位相比較手段で得られる位相差信号を第２の電圧制御発振器に制御信号として供給する第２の選択手段とを備え、第１のクロックを分周して得られる１５ライン周期の信号と第２のクロックを分周して得られる７ライン周期の信号の位相が合うようにすると共に、第１のクロックおよび第２のクロックを基準映像信号に同期したものとするものである。
また、この発明に係るクロック同期方法は、第１の電圧制御発振器から出力される、１フレームのライン数が１１２５本で、フィールド周波数が５９.９４０００５８Ｈｚである１１２５／５９．９４テレビジョン方式の映像信号の処理系で使用される第１のクロックと、第２の電圧制御発振器から出力される、１フレームのライン数が５２５本で、フィールド周波数が５９.９４０００５８Ｈｚである５２５／５９．９４テレビジョン方式の映像信号の処理系で使用される第２のクロックとの同期をとるクロック同期方法であって、第１のクロックを１／２２００に分周する第１の前段分周ステップと、この第１の前段分周ステップで得られる信号を１／１５に分周する第１の後段分周ステップと、第２のクロックを１／８５８に分周する第２の前段分周ステップと、この第２の前段分周ステップで得られる信号を１／７に分周する第２の後段分周ステップと、第１の後段分周ステップで得られる１５ライン周期の信号と第２の後段分周ステップで得られる７ライン周期の信号との位相を比較する第１の位相比較ステップと、基準映像信号が１１２５／５９．９４テレビジョン方式の映像信号であるとき第１の前段分周ステップで得られるライン周期の信号を選択し、基準映像信号が５２５／５９．９４テレビジョン方式の映像信号であるとき第２の前段分周ステップで得られるライン周期の信号を選択する第１の選択ステップと、この第１の選択ステップで選択された上記ライン周期の信号と基準映像信号から分離された水平同期信号との位相を比較する第２の位相比較ステップと、基準映像信号が１１２５／５９．９４テレビジョン方式の映像信号であるとき第１の位相比較ステップで得られる位相差信号を第２の電圧制御発振器に制御信号として供給すると共に第２の位相比較ステップで得られる位相差信号を第１の電圧制御発振器に制御信号として供給し、基準映像信号が５２５／５９．９４テレビジョン方式の映像信号であるとき第１の位相比較ステップで得られる位相差信号を第１の電圧制御発振器に制御信号として供給すると共に第２の位相比較ステップで得られる位相差信号を第２の電圧制御発振器に制御信号として供給する第２の選択ステップとを備え、第１のクロックを分周して得られる１５ライン周期の信号と第２のクロックを分周して得られる７ライン周期の信号の位相が合うようにすると共に、第１のクロックおよび第２のクロックを基準映像信号に同期したものとするものである。
【０００９】
１１２５／５９．９４テレビジョン方式の場合には１５ライン周期で、５２５／５９．９４テレビジョン方式の場合には７ライン周期で水平位相が合う。そのため、１１２５／５９．９４テレビジョン方式の映像信号の処理系で使用される第２のクロックより得られる１５ライン周期の信号と５２５／５９．９４テレビジョン方式の映像信号の処理系で使用される第１のクロックより得られる７ライン周期の信号の位相が合うように制御することで、第１および第２のクロックの同期をとることが可能となる。
【００１６】
【発明の実施の形態】
この発明の実施の形態を図面を参照して説明する。図１は第１の実施の形態としてのビデオカメラ装置１００の構成を示している。
【００１７】
図１に示すビデオカメラ装置１００は、赤色画像用、緑色画像用、青色画像用の撮像素子、例えばＣＣＤ（charge coupled device）固体撮像素子を有し、赤、緑、青の色信号を得るためのカメラ部１１を有している。カメラ部１１は、１フレームのライン数が１１２５本で、フィールド周波数が５９．９４０００５８Ｈｚである１１２５／５９．９４テレビジョン方式に対応したものであって、このカメラ部１１より出力される赤、緑、青の色信号の１ラインのサンプル数は２２００とされている。
【００１８】
また、ビデオカメラ装置１００は、カメラ部１１より出力される赤、緑、青の色信号に対して白黒バランス制御やシェーディング補正や欠陥補正等の画像処理、さらには画像強調処理、ペデスタル付加処理、ガンマやニー等の非線形処理、リニアマトリックス処理等をディジタル的に行って、１１２５／５９．９４テレビジョン方式の映像信号を構成するディジタルの赤、緑、青の色信号ＲHD，ＧHD，ＢHDを得るための信号処理手段としてのディジタルシグナルプロセッサ１２と、このディジタルシグナルプロセッサ１２より出力される色信号ＲHD，ＧHD，ＢHDを導出するための出力端子１３とを有している。
【００１９】
また、ビデオカメラ装置１００は、ディジタルシグナルプロセッサ１２より出力される色信号ＲHD，ＧHD，ＢHDに対してライン数変換処理を行って１フレームのライン数が５２５本で、フィールド周波数が５９．９４０００５８Ｈｚである５２５／５９．９４テレビジョン方式に対応したディジタルの赤、緑、青の色信号Ｒ525，Ｇ525，Ｂ525を得るための方式変換部（ダウンコンバータ）１４と、この方式変換部１４より出力される色信号Ｒ525，Ｇ525，Ｂ525を導出するための出力端子１５とを有している。ここで、色信号Ｒ525，Ｇ525，Ｂ525の１ラインのサンプル数は８５８とされている。
【００２０】
また、ビデオカメラ装置１００は、カメラ部１１、ディジタルシグナルプロセッサ１２および方式変換部１４で使用される１１２５／５９．９４テレビジョン方式に対応したクロックＣＫHD、水平同期信号ＨHD、垂直同期信号ＶHDを得ると共に、方式変換部１４で使用される５２５／５９．９４テレビジョン方式に対応したクロックＣＫ525、水平同期信号Ｈ525、垂直同期信号Ｖ525を得るための信号発生器１６と、この信号発生器１６に１１２５／５９．９４テレビジョン方式の映像信号ＳＶHDまたは５２５／５９．９４テレビジョン方式の映像信号ＳＶ525を基準映像信号ＳＶREFとして供給するための入力端子１７とを有している。ここで、クロックＣＫHD，ＣＫ525の周波数ｆHD，ｆ525は、フィールド周波数をｆｖとすると、それぞれ（１）式、（２）式で表される。
【００２１】
ｆHD  ＝１１２５×２２００×ｆｖ／２＝７４．１７５７５６ＭＨｚ・・・（１）
ｆ525 ＝  ５２５×  ８５８×ｆｖ／２＝１３．５ＭＨｚ・・・（２）
図２は、信号発生器１６のうちクロックＣＫHD，ＣＫ525を得るためのクロック発生部１１０の構成を示している。このクロック発生部１１０では、（１）式、（２）式より得られる（３）式の式関係を利用してクロックＣＫHD，ＣＫ525の同期がとられている。（３）式は、１フレームに７５回だけ周波数ロックし、１１２５／５９．９４テレビジョン方式の場合には１５ライン周期で、５２５／５９．９４テレビジョン方式の場合には７ライン周期で水平位相が合うことを意味している。
【００２２】
７５×ｆｖ／２＝ｆHD／（２２００×１５）＝ｆ525／（８５８×７）・・・（３）
図２に示すクロック発生部１１０は、クロックＣＫHDを得るための電圧制御発振器（ＶＣＯ）１１１と、この電圧制御発振器１１１の出力信号を１／２２００に分周して１１２５／５９．９４テレビジョン方式のライン周期（水平周期）の信号を得る分周器１１２と、この分周器１１２の出力信号を１／１５に分周して１１２５／５９．９４テレビジョン方式の１５ライン周期の信号を得る分周器１１３と、クロックＣＫ525を得るための電圧制御発振器１１４と、この電圧制御発振器１１４の出力信号を１／８５８に分周して５２５／５９．９４テレビジョン方式のライン周期の信号を得る分周器１１５と、この分周器１１５の出力信号を１／７に分周して５２５／５９．９４テレビジョン方式の７ライン周期の信号を得る分周器１１６とを有している。
【００２３】
また、クロック発生部１１０は、分周器１１３より出力される１１２５／５９．９４テレビジョン方式の１５ライン周期の信号と分周器１１６より出力される５２５／５９．９４テレビジョン方式の７ライン周期の信号との位相を比較する位相比較器１１７と、この位相比較器１１７より出力される位相差信号の帯域を制限するためのローパスフィルタ１１８とを有している。
【００２４】
また、クロック発生部１１０は、基準映像信号ＳＶREFより基準水平同期信号ＨREFを分離する同期分離回路１１９と、分周器１１２より出力される１１２５／５９．９４テレビジョン方式のライン周期の信号または分周器１１５より出力される５２５／５９．９４テレビジョン方式のライン周期の信号を選択的に取り出すための切換スイッチ１２０と、同期分離回路１１９で分離される基準水平同期信号ＨREFと切換スイッチ１２０で取り出された信号との位相を比較する位相比較器１２１と、この位相比較器１２１より出力される位相差信号の帯域を制限するためのローパスフィルタ１２２とを有している。
【００２５】
切換スイッチ１２０のａ側の固定端子には分周器１１２より出力される１１２５／５９．９４テレビジョン方式のライン周期の信号が供給され、そのｂ側の固定端子には分周器１１５より出力される５２５／５９．９４テレビジョン方式のライン周期の信号が供給される。そして、切換スイッチ１２０は、基準映像信号ＳＶREFが１１２５／５９．９４テレビジョン方式の映像信号ＳＶHDであるときはａ側に接続され、一方基準映像信号ＳＶREFが５２５／５９．９４テレビジョン方式の映像信号ＳＶ525であるときはｂ側に接続される。
【００２６】
また、クロック発生部１１０は、ローパスフィルタ１１８の出力信号またはローパスフィルタ１２２の出力信号を選択的に取り出すための切換スイッチ１２３，１２４を有している。切換スイッチ１２３のａ側の固定端子にはローパスフィルタ１２２の出力信号が供給され、そのｂ側の固定端子にはローパスフィルタ１１８の出力信号が供給され、その可動端子に得られる信号は電圧制御発振器１１１に制御信号として供給される。切換スイッチ１２４のａ側の固定端子にはローパスフィルタ１１８の出力信号が供給され、そのｂ側の固定端子にはローパスフィルタ１２２の出力信号が供給され、その可動端子に得られる信号は電圧制御発振器１１４に制御信号として供給される。そして、切換スイッチ１２３，１２４は、基準映像信号ＳＶREFが１１２５／５９．９４テレビジョン方式の映像信号ＳＶHDであるときはａ側に接続され、一方基準映像信号ＳＶREFが５２５／５９．９４テレビジョン方式の映像信号ＳＶ525であるときはｂ側に接続される。
【００２７】
図２に示すクロック発生部１１０において、基準映像信号ＳＶREFが１１２５／５９．９４テレビジョン方式の映像信号ＳＶHDである場合の動作を説明する。この場合、切換スイッチ１２０，１２３，１２４はａ側に接続される。そのため、位相比較器１１７より出力される位相差信号がローパスフィルタ１１８および切換スイッチ１２４のａ側を介して電圧制御発振器１１４に制御信号として供給される。これにより、クロックＣＫHDを分周して得られる１１２５／５９．９４テレビジョン方式の１５ライン周期の信号とクロックＣＫ525を分周して得られる５２５／５９．９４テレビジョン方式の７ライン周期の信号の位相が合うように電圧制御発振器１１４の発振周波数が制御され、上述した（３）式の関係から、クロックＣＫHD，ＣＫ525の同期がとられる。
【００２８】
また、位相比較器１２１で分周器１１２より出力される１１２５／５９．９４テレビジョン方式のライン周期の信号と同期分離回路１１９で１１２５／５９．９４テレビジョン方式の映像信号ＳＶHDより分離された基準水平同期信号ＨREFの位相が比較され、その位相差信号がローパスフィルタ１２２および切換スイッチ１２３のａ側を介して電圧制御発振器１１１に制御信号として供給される。そのため、クロックＣＫHD，ＣＫ525は、それぞれ基準映像信号REFとしての１１２５／５９．９４テレビジョン方式の映像信号ＳＶHDに同期したものとされる。
【００２９】
次に、図２に示すクロック発生部１１０において、基準映像信号ＳＶREFが５２５／５９．９４テレビジョン方式の映像信号ＳＶ525である場合の動作を説明する。この場合、切換スイッチ１２０，１２３，１２４はｂ側に接続される。そのため、位相比較器１１７より出力される位相差信号がローパスフィルタ１１８および切換スイッチ１２３のｂ側を介して電圧制御発振器１１１に制御信号として供給される。これにより、クロックＣＫHDを分周して得られる１１２５／５９．９４テレビジョン方式の１５ライン周期の信号とクロックＣＫ525を分周して得られる５２５／５９．９４テレビジョン方式の７ライン周期の信号の位相が合うように電圧制御発振器１１１の発振周波数が制御され、上述した（３）式の関係から、クロックＣＫHD，ＣＫ525の同期がとられる。
【００３０】
また、位相比較器１２１で分周器１１５より出力される５２５／５９．９４テレビジョン方式のライン周期の信号と同期分離回路１１９で５２５／５９．９４テレビジョン方式の映像信号ＳＶ525より分離された基準水平同期信号ＨREFの位相が比較され、その位相差信号がローパスフィルタ１２２および切換スイッチ１２４のｂ側を介して電圧制御発振器１１４に制御信号として供給される。そのため、クロックＣＫHD，ＣＫ525は、それぞれ基準映像信号REFとしての５２５／５９．９４テレビジョン方式の映像信号ＳＶ525に同期したものとされる。
【００３１】
このように、図２に示すクロック発生部１１０は、上述した（３）式の式関係を利用してクロックＣＫHD，ＣＫ525の同期をとっているので、比較的単純な構成で実現されている。
【００３２】
図１に示すビデオカメラ装置１００の動作を説明する。カメラ部１１より出力される赤、緑、青の色信号はディジタルシグナルプロセッサ１２に供給され、白黒バランス制御やシェーディング補正や欠陥補正等の画像処理、さらには画像強調処理、ペデスタル付加処理、ガンマやニー等の非線形処理、リニアマトリックス処理等がディジタル的に行われて１１２５／５９．９４テレビジョン方式の映像信号を構成するディジタルの赤、緑、青の色信号ＲHD，ＧHD，ＢHDが形成される。そして、ディジタルシグナルプロセッサ１２より出力される色信号ＲHD，ＧHD，ＢHDは出力端子１３に導出される。
【００３３】
また、ディジタルシグナルプロセッサ１２より出力される色信号ＲHD，ＧHD，ＢHが方式変換部１４に供給され、ライン数変換処理が行われて５２５／５９．９４テレビジョン方式の映像信号を構成するディジタルの赤、緑、青の色信号Ｒ525，Ｇ525，Ｂ525が形成される。そして、方式変換部１４より出力される色信号Ｒ525，Ｇ525，Ｂ525は出力端子１５に導出される。この場合、信号発生器１６より方式変換部１４に供給されるクロックＣＫHD，ＣＫ525は、上述したように同期がとられているので、方式変換部１４ではライン数変換処理が良好に行われることとなる。
【００３４】
次に、図３は第２の実施の形態としてのビデオカメラ装置２００の構成を示している。この図３において、図１と対応する部分には同一符号を付し、その詳細説明は省略する。
【００３５】
図３に示すビデオカメラ装置２００は、赤色画像用、緑色画像用、青色画像用の撮像素子、例えばＣＣＤ固体撮像素子を有し、赤、緑、青の色信号を得るためのカメラ部２１を有している。カメラ部２１は、１フレームのライン数が５２５本でフィールド周波数が５９．９４０００５８Ｈｚである５２５／５９．９４テレビジョン方式に対応したものであって、このカメラ部２１より出力される赤、緑、青の色信号の１ラインのサンプル数は８５８とされている。
【００３６】
また、ビデオカメラ装置２００は、カメラ部２１より出力される赤、緑、青の色信号に対して白黒バランス制御やシェーディング補正や欠陥補正等の画像処理、さらには画像強調処理、ペデスタル付加処理、ガンマやニー等の非線形処理、リニアマトリックス処理等をディジタル的に行って、５２５／５９．９４テレビジョン方式の映像信号を構成するディジタルの赤、緑、青の色信号Ｒ525，Ｇ525，Ｂ525を得るための信号処理手段としてのディジタルシグナルプロセッサ２２と、このディジタルシグナルプロセッサ２２より出力される色信号Ｒ525，Ｇ525，Ｂ525を導出するための出力端子２３とを有している。
【００３７】
また、ビデオカメラ装置２００は、ディジタルシグナルプロセッサ２２より出力される色信号Ｒ525，Ｇ525，Ｂ525に対してライン数変換処理を行って１フレームのライン数が１１２５本でフィールド周波数が５９．９４０００５８Ｈｚである１１２５／５９．９４テレビジョン方式に対応したディジタルの赤、緑、青の色信号ＲHD，ＧHD，ＢHDを得るための方式変換部（アップコンバータ）２４と、この方式変換部２４より出力される色信号ＲHD，ＧHD，ＢHDを導出するための出力端子２５とを有している。ここで、色信号ＲHD，ＧHD，ＢHDの１ラインのサンプル数は２２００とされている。
【００３８】
また、ビデオカメラ装置２００は、図１に示すビデオカメラ装置１００と同様に、信号発生器１６を有している。信号発生器１６からは、上述したように入力端子１７に供給される基準映像信号ＳＶREFに同期し、かつ互いに同期がとられたクロックＣＫHD，ＣＫ525等が得られる。信号発生器１６より出力される５２５／５９．９４テレビジョン方式に対応したクロックＣＫ525、水平同期信号Ｈ525、垂直同期信号Ｖ525は、カメラ部２１、ディジタルシグナルプロセッサ２２および方式変換部２４に供給されて使用される。また、信号発生器１６より出力される１１２５／５９．９４テレビジョン方式に対応したクロックＣＫHD、水平同期信号ＨHD、垂直同期信号ＶHDは方式変換部２４に供給されて使用される。
【００３９】
図３に示すビデオカメラ装置２００の動作を説明する。カメラ部２１より出力される赤、緑、青の色信号はディジタルシグナルプロセッサ２２に供給され、白黒バランス制御やシェーディング補正や欠陥補正等の画像処理、さらには画像強調処理、ペデスタル付加処理、ガンマやニー等の非線形処理、リニアマトリックス処理等がディジタル的に行われて５２５／５９．９４テレビジョン方式の映像信号を構成するディジタルの赤、緑、青の色信号Ｒ525，Ｇ525，Ｂ525が形成される。そして、ディジタルシグナルプロセッサ２２より出力される色信号Ｒ525，Ｇ525，Ｂ525は出力端子２３に導出される。
【００４０】
また、ディジタルシグナルプロセッサ２２より出力される色信号Ｒ525，Ｇ525，Ｂ525が方式変換部２４に供給され、ライン数変換処理が行われて１１２５／５９．９４テレビジョン方式の映像信号を構成するディジタルの赤、緑、青の色信号ＲHD，ＧHD，ＢHDが形成される。そして、方式変換部２４より出力される色信号ＲHD，ＧHD，ＢHDは出力端子２５に導出される。この場合、信号発生器１６より方式変換部２４に供給されるクロックＣＫHD，ＣＫ525は、上述したように同期がとられているので、方式変換部２４ではライン数変換処理が良好に行われることとなる。
【００４１】
次に、図４は第３の実施の形態としてのビデオカメラ装置３００の構成を示している。この図４において、図１と対応する部分には同一符号を付し、その詳細説明は省略する。
【００４２】
図４に示すビデオカメラ装置３００は、図１に示すビデオカメラ装置１００と同様に、カメラ部１１と、ディジタルシグナルプロセッサ１２と、出力端子１３と、方式変換部１４と、出力端子１５とを有している。
【００４３】
また、ビデオカメラ装置３００は、カメラ部１１、ディジタルシグナルプロセッサ１２および方式変換部１４で使用される１１２５／５９．９４テレビジョン方式に対応したクロックＣＫHD、水平同期信号ＨHD、垂直同期信号ＶHDを得ると共に、方式変換部１４で使用される５２５／５９．９４テレビジョン方式に対応したクロックＣＫ525、水平同期信号Ｈ525、垂直同期信号Ｖ525を得るための信号発生器３６を有している。図１に示すビデオカメラ装置１００の信号発生器１６が外部同期系を備えているのに対して、この信号発生器３６は外部同期系を備えていない。
【００４４】
図５は、信号発生器３６のうちクロックＣＫHD，ＣＫ525を得るためのクロック発生部３１０の構成を示している。この図５において、図２と対応する部分には同一符号を付して示している。
【００４５】
図５に示すクロック発生部３１０は、クロックＣＫHDを得るための固定発振器３１１と、この固定発振器３１１の出力信号を１／２２００に分周して１１２５／５９．９４テレビジョン方式のライン周期の信号を得る分周器１１２と、この分周器１１２の出力信号を１／１５に分周して１１２５／５９．９４テレビジョン方式の１５ライン周期の信号を得る分周器１１３と、クロックＣＫ525を得るための電圧制御発振器１１４と、この電圧制御発振器１１４の出力信号を１／８５８に分周して５２５／５９．９４テレビジョン方式のライン周期の信号を得る分周器１１５と、この分周器１１５の出力信号を１／７に分周して５２５／５９．９４テレビジョン方式の７ライン周期の信号を得る分周器１１６とを有している。
【００４６】
また、クロック発生部３１０は、分周器１１３より出力される１１２５／５９．９４テレビジョン方式の１５ライン周期の信号と分周器１１６より出力される５２５／５９．９４テレビジョン方式の７ライン周期の信号との位相を比較する位相比較器１１７と、この位相比較器１１７より出力される位相差信号の帯域を制限するためのローパスフィルタ１１８とを有している。そして、ローパスフィルタ１１８の出力信号は電圧制御発振器１１４に制御信号として供給される。
【００４７】
図５に示すクロック発生部３１０においては、位相比較器１１７より出力される位相差信号はローパスフィルタ１１８を介して電圧制御発振器１１４に制御信号として供給される。そのため、クロックＣＫHDを分周して得られる１１２５／５９．９４テレビジョン方式の１５ライン周期の信号とクロックＣＫ525を分周して得られる５２５／５９．９４テレビジョン方式の７ライン周期の信号の位相が合うように電圧制御発振器１１４の発振周波数が制御され、上述した（３）式の関係から、クロックＣＫHD，ＣＫ525の同期がとられる。
【００４８】
図６は、信号発生器３６のうちクロックＣＫHD，ＣＫ525を得るためのクロック発生部３１０の他の構成を示している。この図６において、図２と対応する部分には同一符号を付して示している。
【００４９】
図６に示すクロック発生部３１０は、クロックＣＫHDを得るための電圧制御発振器１１１と、この電圧制御発振器１１１の出力信号を１／２２００に分周して１１２５／５９．９４テレビジョン方式のライン周期の信号を得る分周器１１２と、この分周器１１２の出力信号を１／１５に分周して１１２５／５９．９４テレビジョン方式の１５ライン周期の信号を得る分周器１１３と、クロックＣＫ525を得るための固定発振器３１４と、この固定発振器３１４の出力信号を１／８５８に分周して５２５／５９．９４テレビジョン方式のライン周期の信号を得る分周器１１５と、この分周器１１５の出力信号を１／７に分周して５２５／５９．９４テレビジョン方式の７ライン周期の信号を得る分周器１１６とを有している。
【００５０】
また、クロック発生部３１０は、分周器１１３より出力される１１２５／５９．９４テレビジョン方式の１５ライン周期の信号と分周器１１６より出力される５２５／５９．９４テレビジョン方式の７ライン周期の信号との位相を比較する位相比較器１１７と、この位相比較器１１７より出力される位相差信号の帯域を制限するためのローパスフィルタ１１８とを有している。そして、ローパスフィルタ１１８の出力信号は電圧制御発振器１１１に制御信号として供給される。
【００５１】
図６に示すクロック発生部３１０においては、位相比較器１１７より出力される位相差信号はローパスフィルタ１１８を介して電圧制御発振器１１１に制御信号として供給される。そのため、クロックＣＫHDを分周して得られる１１２５／５９．９４テレビジョン方式の１５ライン周期の信号とクロックＣＫ525を分周して得られる５２５／５９．９４テレビジョン方式の７ライン周期の信号の位相が合うように電圧制御発振器１１１の発振周波数が制御され、上述した（３）式の関係から、クロックＣＫHD，ＣＫ525の同期がとられる。
【００５２】
図４に示すビデオカメラ装置３００では、図１に示すビデオカメラ装置１００と同様に、ディジタルシグナルプロセッサ１２で１１２５／５９．９４テレビジョン方式の映像信号を構成するディジタルの赤、緑、青の色信号ＲHD，ＧHD，ＢHDが形成されて出力端子１３に導出されると共に、方式変換部１４で５２５／５９．９４テレビジョン方式の映像信号を構成するディジタルの赤、緑、青の色信号Ｒ525，Ｇ525，Ｂ525が形成されて出力端子１５に導出される。この場合、信号発生器３６より方式変換部１４に供給されるクロックＣＫHD，ＣＫ525は、上述したように同期がとられているので、方式変換部１４ではライン数変換処理が良好に行われることとなる。
【００５３】
次に、図７は第４の実施の形態としてのビデオカメラ装置４００の構成を示している。この図７において、図３および図４と対応する部分には同一符号を付し、その詳細説明は省略する。
【００５４】
図７に示すビデオカメラ装置４００は、図３に示すビデオカメラ装置２００と同様に、カメラ部２１と、ディジタルシグナルプロセッサ２２と、出力端子２３と、方式変換部２４と、出力端子２５とを有している。
【００５５】
また、ビデオカメラ装置４００は、図４に示すビデオカメラ装置３００と同様に、信号発生器３６を有している。信号発生器３６からは、上述したように互いに同期がとられたクロックＣＫHD，ＣＫREF等が得られる。信号発生器３６より出力される５２５／５９．９４テレビジョン方式に対応したクロックＣＫ525、水平同期信号Ｈ525、垂直同期信号Ｖ525は、カメラ部２１、ディジタルシグナルプロセッサ２２および方式変換部２４に供給されて使用される。また、信号発生器３６より出力される１１２５／５９．９４テレビジョン方式に対応したクロックＣＫHD、水平同期信号ＨHD、垂直同期信号ＶHDは方式変換部２４に供給されて使用される。
【００５６】
図７に示すビデオカメラ装置４００では、図３に示すビデオカメラ装置２００と同様に、ディジタルシグナルプロセッサ２２で５２５／５９．９４テレビジョン方式の映像信号を構成するディジタルの赤、緑、青の色信号Ｒ525，Ｇ525，Ｂ525が形成されて出力端子２３に導出されると共に、方式変換部２４で１１２５／５９．９４テレビジョン方式の映像信号を構成するディジタルの赤、緑、青の色信号ＲHD，ＧHD，ＢHDが形成されて出力端子２５に導出される。この場合、信号発生器３６より方式変換部２４に供給されるクロックＣＫHD，ＣＫ525は、上述したように同期がとられているので、方式変換部２４ではライン数変換処理が良好に行われることとなる。
【００５７】
次に、図８は第５の実施の形態としてのテレビジョン方式変換装置５００の構成を示している。テレビジョン方式変換装置５００は、１フレームのライン数が１１２５本で、フィールド周波数が５９．９４０００５８Ｈｚである１１２５／５９．９４テレビジョン方式の映像信号を構成するディジタルの赤、緑、青の色信号ＲHD，ＧHD，ＢHDを入力するための入力端子５１と、この入力端子５１に供給される色信号ＲHD，ＧHD，ＢHDに対してライン数変換処理を行って１フレームのライン数が５２５本で、フィールド周波数が５９．９４０００５８Ｈｚである５２５／５９．９４テレビジョン方式に対応したディジタルの赤、緑、青の色信号Ｒ525，Ｇ525，Ｂ525を得るための方式変換部（ダウンコンバータ）５２と、この方式変換部５２より出力される色信号Ｒ525，Ｇ525，Ｂ525を導出するための出力端子５３とを有している。ここで、色信号ＲHD，ＧHD，ＢHDの１ラインのサンプル数は２２００とされ、色信号Ｒ525，Ｇ525，Ｂ525の１ラインのサンプル数は８５８とされている。
【００５８】
また、テレビジョン方式変換装置５００は、方式変換部５２で使用される１１２５／５９．９４テレビジョン方式に対応したクロックＣＫHD、水平同期信号ＨHD、垂直同期信号ＶHDを得ると共に、方式変換部５２で使用される５２５／５９．９４テレビジョン方式に対応したクロックＣＫ525、水平同期信号Ｈ525、垂直同期信号Ｖ525を得るための信号発生器５４を有している。信号発生器５４には、色信号ＲHD，ＧHD，ＢHDが基準映像信号ＳＶREFとして供給される。信号発生器５４は、図１に示すビデオカメラ装置１００における信号発生器１６（図２参照）と同様に構成される。よって、信号発生器５４からは、上述したように入力端子５１に供給される色信号ＲHD，ＧHD，ＢHDに同期し、かつ互いに同期がとられたクロックＣＫHD，ＣＫ525等が得られる。
【００５９】
図８に示すテレビジョン方式変換装置５００の動作を説明する。入力端子５１に供給される１１２５／５９．９４テレビジョン方式の映像信号を構成するディジタルの赤、緑、青の色信号ＲHD，ＧHD，ＢHDは方式変換部５２に供給され、ライン数変換処理が行われて５２５／５９．９４テレビジョン方式の映像信号を構成するディジタルの赤、緑、青の色信号Ｒ525，Ｇ525，Ｂ525が形成される。そして、方式変換部５２より出力される色信号Ｒ525，Ｇ525，Ｂ525は出力端子５３に導出される。この場合、信号発生器５４より方式変換部５２に供給されるクロックＣＫHD，ＣＫ525は、上述したように同期がとられているので、方式変換部５２ではライン数変換処理が良好に行われることとなる。
【００６０】
次に、図９は第６の実施の形態としてのテレビジョン方式変換装置６００の構成を示している。テレビジョン方式変換装置６００は、１フレームのライン数が５２５本で、フィールド周波数が５９．９４０００５８Ｈｚである５２５／５９．９４テレビジョン方式の映像信号を構成するディジタルの赤、緑、青の色信号Ｒ525，Ｇ525，Ｂ525を入力するための入力端子６１と、この入力端子６１に供給される色信号Ｒ525，Ｇ525，Ｂ525に対してライン数変換処理を行って１フレームのライン数が１１２５本で、フィールド周波数が５９．９４０００５８Ｈｚである１１２５／５９．９４テレビジョン方式に対応したディジタルの赤、緑、青の色信号ＲHD，ＧHD，ＢHDを得るための方式変換部（アップコンバータ）６２と、この方式変換部６２より出力される色信号ＲHD，ＧHD，ＢHDを導出するための出力端子６３とを有している。
【００６１】
また、テレビジョン方式変換装置６００は、方式変換部６２で使用される５２５／５９．９４テレビジョン方式に対応したクロックＣＫ525、水平同期信号Ｈ525、垂直同期信号Ｖ525を得ると共に、１１２５／５９．９４テレビジョン方式に対応したクロックＣＫHD、水平同期信号ＨHD、垂直同期信号ＶHDを得るための信号発生器６４を有している。信号発生器６４には、色信号Ｒ525，Ｇ525，Ｂ525が基準映像信号ＳＶREFとして供給される。信号発生器６４は、図１に示すビデオカメラ装置１００における信号発生器１６（図２参照）と同様に構成される。よって、信号発生器６４からは、上述したように入力端子６１に供給される色信号Ｒ525，Ｇ525，Ｂ525に同期し、かつ互いに同期がとられたクロックＣＫ525，ＣＫHD等が得られる。
【００６２】
図９に示すテレビジョン方式変換装置６００の動作を説明する。入力端子６１に供給される５２５／５９．９４テレビジョン方式の映像信号を構成するディジタルの赤、緑、青の色信号Ｒ525，Ｇ525，Ｂ525は方式変換部６２に供給され、ライン数変換処理が行われて１１２５／５９．９４テレビジョン方式の映像信号を構成するディジタルの赤、緑、青の色信号ＲHD，ＧHD，ＢHDが形成される。そして、方式変換部６２より出力される色信号ＲHD，ＧHD，ＢHDは出力端子６３に導出される。この場合、信号発生器６４より方式変換部６２に供給されるクロックＣＫ525，ＣＫHDは、上述したように同期がとられているので、方式変換部６２ではライン数変換処理が良好に行われることとなる。
【００６３】
なお、上述した実施の形態においては、映像信号として赤、緑、青の色信号を得るものを示したが、映像信号として輝度信号、赤色差信号、青色差信号を得るものも同様に構成できる。また、上述した第１〜第４の実施の形態では方式変換部（ダウンコンバータ）１４や方式変換部（アップコンバータ）２４を内蔵するビデオカメラ装置１００〜４００を示したものであるが、第５および第６の実施の形態の方式変換装置５００，６００が入力部や出力部に挿入されたビデオテープレコーダ等のビデオ記録再生機も容易に構成できる。
【００６４】
【発明の効果】
この発明によれば、１１２５／５９．９４テレビジョン方式における第１のクロックと５２５／５９．９４テレビジョン方式における第２のクロックの周波数が所定の式関係を満足することを利用して、これら第１および第２のクロックが同期するように制御するものであり、比較的単純な構成で第１および第２のクロックの同期をとることができる。
【図面の簡単な説明】
【図１】第１の実施の形態としてのビデオカメラ装置の構成を示すブロック図である。
【図２】第１の実施の形態における信号発生器のクロック発生部の構成を示すブロック図である。
【図３】第２の実施の形態としてのビデオカメラ装置の構成を示すブロック図である。
【図４】第３の実施の形態としてのビデオカメラ装置の構成を示すブロック図である。
【図５】第３の実施の形態における信号発生器のクロック発生部の構成を示すブロック図である。
【図６】第３の実施の形態における信号発生器のクロック発生部の他の構成を示すブロック図である。
【図７】第４の実施の形態としてのビデオカメラ装置の構成を示すブロック図である。
【図８】第５の実施の形態としてのテレビジョン方式変換装置の構成を示すブロック図である。
【図９】第６の実施の形態としてのテレビジョン方式変換装置の構成を示すブロック図である。
【符号の説明】
１１，２１  カメラ部
１２，２２  ディジタルシグナルプロセッサ
１３，１５，２３，２５，５３，６３  出力端子
１４，５２  方式変換部（ダウンコンバータ）
１６，３６，５４，６４  信号発生器
１７，５１，６１  入力端子
２４，６２  方式変換部（アップコンバータ）
１００，２００，３００，４００  ビデオカメラ装置
１１０，３１０  クロック発生部
１１１，１１４  電圧制御発振器
１１２，１１３，１１５，１１６  分周器
１１７，１２１  位相比較器
１１８，１２２  ローパスフィルタ
１１９  同期分離回路
１２０，１２３，１２４  切換スイッチ
３１１，３１４  固定発振器
５００，６００  テレビジョン方式変換装置
【図１】
0003721616.tif 000002
【図２】
0003721616.tif 000003
【図３】
0003721616.tif 000004
【図４】
0003721616.tif 000005
【図５】
0003721616.tif 000006
【図６】
0003721616.tif 000007
【図７】
0003721616.tif 000008
【図８】
0003721616.tif 000009
【図９】
0003721616.tif 000010